(57)【要約】【課題】  電池を電源とした光源の点滅動作をより長く継続させることができる点滅装置、非常用装置、及びプログラムを提供する。【解決手段】  電源回路１１は、電池７０から供給された放電電力を負荷電力に変換し、負荷電力を光源５０に供給する。制御回路１２は、負荷電力を調整する。電源回路１１が負荷電力の供給を開始してから所定時間が経過するまでの期間が第１期間であり、第１期間以降の期間が第２期間である。電源回路１１は、光源５０に負荷電流Ｉｏを間欠的に出力する間欠動作を行うように構成される。そして、制御回路１２は、第２期間における負荷電力の平均値を、第１期間における負荷電力の平均値より小さくする。【選択図】図１
2020004622.tif 000002
【特許請求の範囲】
【請求項１】
電池から供給された放電電力を負荷電力に変換し、前記負荷電力を光源に供給する電源回路と、
前記負荷電力を調整する制御回路と、を備え、
前記電源回路が前記負荷電力の供給を開始してから所定時間が経過するまでの期間が第１期間であり、前記第１期間以降の所定期間が第２期間であり、
前記電源回路は、前記光源に負荷電流を間欠的に出力する間欠動作を行うように構成され、
前記制御回路は、前記第２期間における前記負荷電力の平均値を、前記第１期間における前記負荷電力の平均値より小さくする
点滅装置。
【請求項２】
前記制御回路は、前記間欠動作の周期を調整することで、前記負荷電力の平均値を調整する
請求項１記載の点滅装置。
【請求項３】
前記制御回路は、前記負荷電流の波形を調整することで、前記負荷電力の平均値を調整する
請求項１記載の点滅装置。
【請求項４】
前記制御回路は、前記光源を間欠的に流れる前記負荷電流の立ち上がりの傾きを調整することで、前記負荷電力の平均値を調整する
請求項３記載の点滅装置。
【請求項５】
前記電源回路は、
前記放電電力を前記負荷電力に変換する電力変換処理を実行する電力変換回路と、
前記電力変換回路と前記光源との間の電路の導通状態及び遮断状態を周期的に切り換えるスイッチと、を有し、
前記制御回路は、
前記第１期間において、前記電力変換回路の前記電力変換処理を継続して実行させ、
前記第２期間において、前記電力変換回路の前記電力変換処理を間欠的に実行させ、かつ前記電力変換処理の開始タイミングと前記スイッチが前記電路を前記遮断状態から前記導通状態に切り換えるタイミングとを同期させる
請求項４記載の点滅装置。
【請求項６】
前記電源回路は、
前記放電電力を前記負荷電力に変換する電力変換処理を実行する電力変換回路と、
前記電力変換回路と前記光源との間の電路に設けられたインダクタ素子と、
前記インダクタ素子に並列接続されたスイッチと、を有し、
前記制御回路は、
前記第１期間において前記スイッチをオンし、前記第２期間において前記スイッチをオフする
請求項４記載の点滅装置。
【請求項７】
前記電源回路は、
前記放電電力を前記負荷電力に変換する電力変換処理を実行する電力変換回路と、
前記電力変換回路と前記光源との間の電路の導通状態及び遮断状態を周期的に切り換えるトランジスタと、を有し、
前記トランジスタが前記遮断状態から前記導通状態に至るまでに要する時間をターンオン時間とし、
前記制御回路は、
前記第２期間における前記ターンオン時間が前記第１期間における前記ターンオン時間より長くなるように、前記トランジスタを制御する
請求項４記載の点滅装置。
【請求項８】
前記制御回路は、前記電源回路から間欠的に出力される前記負荷電流の瞬時値を調整することで、前記負荷電力の平均値を調整する
請求項３記載の点滅装置。
【請求項９】
前記電源回路は、
前記放電電力を前記負荷電力に変換する電力変換処理を実行する電力変換回路と、
前記負荷電流が流れる複数の抵抗器の直列回路と、
前記複数の抵抗器のうち少なくとも１つの抵抗器に並列接続されたスイッチと、を有し、
前記電力変換回路は、前記複数の抵抗器の直列回路の両端間の電圧が目標値に一致するように前記負荷電力を調整し、
前記制御回路は、
前記第１期間において前記スイッチをオンし、前記第２期間において前記スイッチをオフする
請求項８記載の点滅装置。
【請求項１０】
請求項１乃至９のいずれか一項に記載の点滅装置と、
電池と、
光源と、
前記点滅装置、前記電池、及び前記光源のうち少なくとも前記点滅装置を収容する筐体と、を備える、
非常用装置。
【請求項１１】
電池から供給された放電電力を負荷電力に変換し、前記負荷電力を光源に供給する電源回路に組み合わされるコンピュータが実行するプログラムであって、
前記電源回路が前記負荷電力の供給を開始してから所定時間が経過するまでの期間が第１期間であり、前記第１期間以降の所定期間が第２期間であり、
前記電源回路は、前記光源に負荷電流を間欠的に出力する間欠動作を行うように構成され、
コンピュータに、
前記第２期間における前記負荷電力の平均値を、前記第１期間における前記負荷電力の平均値より小さくする電力調整機能を実現させる
プログラム。
【発明の詳細な説明】
【技術分野】
【０００１】
本開示は、一般に点滅装置、非常用装置、及びプログラムに関する。
【背景技術】
【０００２】
特許文献１には、非常時に光源を点滅させて避難者に避難方向を報知する非常用照明装置が開示されている。この非常用照明装置は、バッテリと、ＬＥＤ（Light Emitting Diode）と、充電回路と、切替回路と、昇圧回路と、点滅制御回路と、を備えている。充電回路は、常時にバッテリを充電する。切替回路は、非常時にバッテリからの電圧を昇圧し、昇圧後の電圧をＬＥＤへ出力してＬＥＤを点灯させる。点滅制御回路は、ＬＥＤの点灯を点滅制御する。
【先行技術文献】
【特許文献】
【０００３】
【特許文献１】特開２０１１−２０４６９８号公報
【発明の概要】
【発明が解決しようとする課題】
【０００４】
特許文献１に記載の非常用照明装置（非常用装置）では、非常時にバッテリ（電池）を電源としてＬＥＤ（光源）を点滅させている。このような装置に対して、バッテリ（電池）を電源としたＬＥＤ（光源）の点滅動作をより長く継続させることが望まれている。
【０００５】
本開示の目的は、電池を電源とした光源の点滅動作をより長く継続させることができる点滅装置、非常用装置、及びプログラムを提供することにある。
【課題を解決するための手段】
【０００６】
本開示の一態様に係る点滅装置は、電源回路と、制御回路と、を備える。前記電源回路は、電池から供給された放電電力を負荷電力に変換し、前記負荷電力を光源に供給する。前記制御回路は、前記負荷電力を調整する。前記電源回路が前記負荷電力の供給を開始してから所定時間が経過するまでの期間が第１期間であり、前記第１期間以降の所定期間が第２期間である。前記電源回路は、前記光源に負荷電流を間欠的に出力する間欠動作を行うように構成される。そして、前記制御回路は、前記第２期間における前記負荷電力の平均値を、前記第１期間における前記負荷電力の平均値より小さくする。
【０００７】
本開示の一態様に係る非常用装置は、上述の点滅装置と、前記電池と、前記光源と、前記点滅装置、前記電池、及び前記光源のうち少なくとも前記点滅装置を収容する筐体と、を備える。
【０００８】
本開示の一態様に係るプログラムは、電池から供給された放電電力を負荷電力に変換し、前記負荷電力を光源に供給する電源回路に組み合わされるコンピュータが実行する。前記電源回路が前記負荷電力の供給を開始してから所定時間が経過するまでの期間が第１期間であり、前記第１期間以降の所定期間が第２期間である。前記電源回路は、前記光源に負荷電流を間欠的に出力する間欠動作を行うように構成される。前記プログラムは、コンピュータに、前記第２期間における前記負荷電力の平均値を、前記第１期間における前記負荷電力の平均値より小さくする電力調整機能を実現させる。
【発明の効果】
【０００９】
以上説明したように、本開示は、電池を電源とした光源の点滅動作をより長く継続させることができるという効果がある。
【図面の簡単な説明】
【００１０】
【図１】図１は、本開示の一実施形態に係る点滅装置の回路図を示す。
【図２】図２は、同上の点滅装置の動作を示すタイムチャートである。
【図３】図３は、同上の第１変形例の点滅装置の動作を示すタイムチャートである。
【図４】図４は、同上の第３変形例の点滅装置の回路図を示す。
【図５】図５は、同上の第４変形例の点滅装置の回路図を示す。
【図６】図６は、同上の第４変形例の点滅装置の動作を示すタイムチャートである。
【図７】図７は、同上の点滅装置を備えた非常用装置の斜視図である。
【図８】図８は、同上の非常用装置の分解斜視図である。
【発明を実施するための形態】
【００１１】
以下の実施形態は、一般に点滅装置、非常用装置、及びプログラムに関する。より詳細に、以下の実施形態は、電池を電源として光源を点滅させる点滅装置、非常用装置、及びプログラムに関する。
【００１２】
以下、本実施形態の点滅装置１、及び非常用装置３について、図１、図２、図７、図８を参照して詳細に説明する。ただし、下記の実施形態において説明する各図は模式的な図であり、各構成要素の大きさや厚さそれぞれの比が必ずしも実際の寸法比を反映しているとは限らない。
【００１３】
（点滅装置の構成）
まず、本実施形態の点滅装置１について図１を用いて詳細に説明する。点滅装置１は、電源回路１１と、制御回路１２と、整流回路１３と、コンバータ１４と、充電回路１５と、を備える。また、点滅装置１は、ダイオードＤ３，Ｄ４と、を更に備える。
【００１４】
光源５０は、例えばＬＥＤ等の固体発光素子を含んでいる。なお、光源５０は、固体発光素子としてＬＥＤを有する構成に限らない。光源５０は、例えば、有機ＥＬ（Organic Electro Luminescence、OEL）、または半導体レーザダイオード（Laser Diode、LD）などの他の固体発光素子を有していてもよい。
【００１５】
点滅装置１は、非常時（停電時、災害時などを含む）に光源５０を点滅させるように構成されており、本実施形態では、点滅装置１は、誘導灯信号装置から点滅指示信号を受信したときに、光源５０を点滅させるように構成されている。誘導灯信号装置は、例えば、常用電源ＡＣ１（例えば、商用の電力系統）が停電している非常時において、非常口（避難口）の上方又は避難経路に位置する非常用装置３に含まれる点滅装置１に対して点滅指示信号を送信する。また、誘導灯信号装置は、例えば煙感知器にて煙の発生を検知した非常時において、非常用装置３に含まれる点滅装置１に対して、点滅指示信号を送信する。以下の説明では、常用電源ＡＣ１が停電することで、誘導灯信号装置から点滅指示信号が送信されると仮定する。また、以下の説明では、特に断りのない限り、常用電源ＡＣ１が停電しているときを「停電時」、常用電源ＡＣ１が停電していないときを「通常時」という。
【００１６】
電源回路１１は、光源５０と第２蓄電池ブロック７（後述する）の電池７０との間の電路Ｗ１に設けられており、電力変換回路１１ａと、スイッチＱ２と、抵抗器Ｒ１とを備える。
【００１７】
スイッチＱ２は、例えばエンハンスメント形のＮチャネルＭＯＳＦＥＴ（Metal-Oxide-Semiconductor Field-Effect Transistor）からなる。スイッチＱ２がオン／オフすることで、スイッチＱ２は、電路Ｗ１（の状態）を導通状態または遮断状態に択一的に切り替えることができる。スイッチＱ２がオンしている場合、電路Ｗ１は導通状態であり、電路Ｗ１は閉じられている。スイッチＱ２がオフしている場合、電路Ｗ１は遮断状態であり、電路Ｗ１は開かれている。
【００１８】
抵抗器Ｒ１は、電路Ｗ１において、光源５０及びスイッチＱ２の直列回路と電気的に直列に接続されている。後述するドライバ１１１は、抵抗器Ｒ１の両端電圧を監視する。
【００１９】
電力変換回路１１ａは、昇圧チョッパ回路からなり、電池７０の放電電力を供給される。そして、電力変換回路１１ａは、電池７０から入力される直流電圧（入力電圧）Ｖｉを昇圧し、当該昇圧した電圧を直流の出力電圧Ｖｏとして出力するように構成されている。電力変換回路１１ａは、スイッチング素子Ｑ１と、チョークコイルＬ１と、ダイオードＤ１と、コンデンサＣ１と、ドライバ１１１と、を有している。チョークコイルＬ１の第１端は、電池７０の正極に電気的に接続されている。チョークコイルＬ１の第２端は、ダイオードＤ１のアノードに電気的に接続されている。スイッチング素子Ｑ１は、例えばエンハンスメント形のＮチャネルＭＯＳＦＥＴからなる。スイッチング素子Ｑ１のドレインは、チョークコイルＬ１の第２端及びダイオードＤ１のアノードに電気的に接続されている。スイッチング素子Ｑ１のソースは、コンバータ１４の低電位側の出力端、電池７０の負極、及び電源回路１１（電力変換回路１１ａ）の低電位側の出力端に電気的に接続されている。
【００２０】
ダイオードＤ１のカソードは、コンデンサＣ１の正極に電気的に接続され、さらに電源回路１１（電力変換回路１１ａ）の高電位側の出力端に電気的に接続されている。コンデンサＣ１の負極は、コンバータ１４の低電位側の出力端、電池７０の負極、及び電源回路１１（電力変換回路１１ａ）の低電位側の出力端に電気的に接続されている。コンデンサＣ１は、電力変換回路１１ａの出力電圧Ｖｏを平滑するために用いられる。
【００２１】
ドライバ１１１は、スイッチング素子Ｑ１のゲート−ソース間電圧を制御することで、スイッチング素子Ｑ１をオン／オフさせる。例えば、ドライバ１１１は、スイッチング素子Ｑ１のゲート−ソース間電圧を閾値電圧以上にすることでスイッチング素子Ｑ１をオンさせ、ゲート−ソース間電圧を閾値電圧未満にすることでスイッチング素子Ｑ１をオフさせる。
【００２２】
電力変換回路１１ａの高電位側の出力端は、光源５０の第１端（ここでは、ＬＥＤのアノード）に電気的に接続されている。電力変換回路１１ａの低電位側の出力端は、抵抗器Ｒ１及びスイッチＱ２を介して光源５０の第２端（ここでは、ＬＥＤのカソード）に電気的に接続されている。つまり、電力変換回路１１ａは、電路Ｗ１に設けられて、電池７０から供給される電力（放電電力）を電力変換し、変換した電力（負荷電力）を光源５０に供給する。
【００２３】
制御回路１２は、第１制御回路１２１と、第２制御回路１２２と、制御電源回路１２３と、を有している。
【００２４】
制御回路１２は、コンピュータを備えている。このコンピュータがプログラムを実行することによって、本開示における第１制御回路１２１及び第２制御回路１２２の各機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。ここでは、ＩＣやＬＳＩと呼んでいるが、集積の度合いによって呼び方が変わり、システムＬＳＩ、ＶＬＳＩ(very large scale integration)、若しくはＵＬＳＩ(ultra large scale integration)と呼ばれるものであってもよい。ＬＳＩの製造後にプログラムされる、フィールド・プログラマブル・ゲート・アレイ(FPGA)、又はＬＳＩ内部の接合関係の再構成又はＬＳＩ内部の回路区画のセットアップができる再構成可能な論理デバイスも同じ目的で使うことができる。複数の電子回路は、一つのチップに集積されてもよいし、複数のチップに設けられてもよい。複数のチップは一つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００２５】
第２制御回路１２２は、スイッチＱ２のゲート−ソース間電圧を制御することで、スイッチＱ２をオン／オフさせる。例えば、第２制御回路１２２は、スイッチＱ２のゲート−ソース間電圧を閾値電圧以上にすることでスイッチＱ２をオンさせ、ゲート−ソース間電圧を閾値電圧未満にすることでスイッチＱ２をオフさせる。本実施形態では、通常時、つまり信号線を介して誘導灯信号装置から点滅指示信号を受信するまでは、第２制御回路１２２は、スイッチＱ２をオフ状態に維持する。そして、停電時、つまり点滅指示信号を受信すると、第２制御回路１２２は、スイッチＱ２がオン状態とオフ状態とを交互に繰り返すように、スイッチＱ２を制御する。つまり、第２制御回路１２２は、所定の条件を満たしていないときはスイッチＱ２をオフ状態に維持し、所定の条件を満たすとスイッチＱ２のオン／オフを繰り返すようにスイッチＱ２を制御する。そして、本実施形態では、所定の条件は、誘導灯信号装置から光源５０の点滅を指示する点滅指示信号を受信することである。
【００２６】
このように、第２制御回路１２２は、停電時においてスイッチＱ２をオン状態またはオフ状態に周期的に切り換え、電源回路１１から光源５０に間欠的に負荷電流Ｉｏを出力させることで、光源５０を点滅させる。本実施形態では、停電時において光源５０を点滅させることで、人を誘導する効果を高めている。ここで、光源５０の点滅中においては、光源５０が点灯している期間よりも、光源５０が消灯している期間が長い方が好ましい。
【００２７】
第１制御回路１２１は、電力変換回路１１ａのドライバ１１１に制御信号を出力する。制御信号を受けたドライバ１１１は、スイッチング素子Ｑ１のＰＷＭ（Pulse Width Modulation）制御を開始し、スイッチング素子Ｑ１のゲート−ソース間電圧を制御することで、スイッチング素子Ｑ１をオン／オフさせる。つまり、第１制御回路１２１は、ドライバ１１１を介してスイッチング素子Ｑ１を間接的にオン／オフ制御している。本実施形態では、通常時、つまり信号線を介して誘導灯信号装置から点滅指示信号を受信するまでは（点滅指示信号を受信していないとき）、第１制御回路１２１は、スイッチング素子Ｑ１をオフ状態に維持することで、電力変換回路１１ａの動作を停止させる。そして、停電時、つまり点滅指示信号を受信すると、第１制御回路１２１は、ＰＷＭ制御によるスイッチング素子Ｑ１のオン／オフ駆動を開始することで、電力変換回路１１ａを動作させる。
【００２８】
ドライバ１１１は、抵抗器Ｒ１の両端電圧を監視電圧Ｖｓ１として検出し、監視電圧Ｖｓ１の電圧値を所定の目標値に一致させるように、スイッチング素子Ｑ１をＰＷＭ制御する。ここで、抵抗器Ｒ１は、スイッチＱ２を介して光源５０に直列に電気的に接続されている。したがって、監視電圧Ｖｓ１の電圧値は、光源５０を流れる負荷電流Ｉｏに応じて増減する。つまり、ドライバ１１１が監視電圧Ｖｓ１の電圧値を所定の目標値に一致させるようにスイッチング素子Ｑ１をＰＷＭ制御することで、負荷電流Ｉｏは一定の電流値（目標電流値）に調整される。
【００２９】
言い換えれば、本実施形態のドライバ１１１は、スイッチング素子Ｑ１をオン／オフ駆動して、負荷電流Ｉｏを目標電流値に調整する定電流制御を実行する。そして、電力変換回路１１ａは、光源５０を流れる負荷電流Ｉｏが目標電流値となる定電流回路として機能する。更に言えば、電力変換回路１１ａは、スイッチング素子Ｑ１を有しており、負荷電流Ｉｏは、スイッチング素子Ｑ１のオン／オフによって目標電流値となるように調整される。
【００３０】
制御電源回路１２３は、例えば３端子レギュレータを有しており、コンバータ１４又は電池７０から供給される電力を受けて、制御回路１２を動作させるための電源として機能する。制御電源回路１２３は、ダイオードＤ３を介してコンバータ１４の高電位側の出力端に電気的に接続されている。したがって、コンバータ１４は、通常時において、制御電源回路１２３に電力を供給する。また、制御電源回路１２３は、ダイオードＤ４を介して電池７０の正極に電気的に接続されている。したがって、電池７０は、停電時において、制御電源回路１２３に電力を供給する。つまり、制御回路１２は、通常時及び停電時のいずれにおいても動作することが可能である。
【００３１】
整流回路１３は、例えばダイオードブリッジからなる全波整流器であって、常用電源ＡＣ１から供給される交流電圧を整流する。そして、整流回路１３は、交流電圧を整流することで得られる脈流電圧を、コンバータ１４に入力する。
【００３２】
コンバータ１４は、整流回路１３から入力される脈流電圧を昇圧、及び平滑化することで、脈流電圧を昇圧した直流電圧を出力するように構成されている。コンバータ１４は、フライバック方式の絶縁型ＡＣ／ＤＣコンバータであって、ドライバ１４１と、スイッチング素子Ｑ３と、トランスＴＲ１と、ダイオードＤ２と、コンデンサＣ２と、を有している。スイッチング素子Ｑ３は、例えばエンハンスメント形のＮチャネルＭＯＳＦＥＴからなる。トランスＴＲ１の一次巻線の第１端は、整流回路１３の高電位側の出力端に電気的に接続されている。トランスＴＲ１の一次巻線の第２端は、スイッチング素子Ｑ３のドレインに電気的に接続されている。トランスＴＲ１の二次巻線の第１端は、ダイオードＤ２のアノードに電気的に接続されている。トランスＴＲ１の二次巻線の第２端は、コンバータ１４の低電位側の出力端及び電池７０の負極に電気的に接続されている。
【００３３】
スイッチング素子Ｑ３のソースは、整流回路１３の低電位側の出力端に電気的に接続されている。ダイオードＤ２のカソードは、コンバータ１４の高電位側の出力端及びコンデンサＣ２の正極に電気的に接続されている。コンデンサＣ２の負極は、コンバータ１４の低電位側の出力端及び電池７０の負極に電気的に接続されている。
【００３４】
ドライバ１４１は、スイッチング素子Ｑ３のゲート−ソース間電圧を制御することで、スイッチング素子Ｑ３をオン／オフさせる。例えば、ドライバ１４１は、スイッチング素子Ｑ３のゲート−ソース間電圧を閾値電圧以上にすることでスイッチング素子Ｑ３をオンさせ、ゲート−ソース間電圧を閾値電圧未満にすることでスイッチング素子Ｑ３をオフさせる。本実施形態では、ドライバ１４１は、コンデンサＣ２の両端電圧（つまり、コンバータ１４の出力電圧）が一定の電圧値となるように、スイッチング素子Ｑ３をＰＷＭ制御する。ドライバ１４１は、更に常用電源ＡＣ１から点滅装置１に供給される電力の力率を改善するように、スイッチング素子Ｑ３をＰＷＭ制御することが好ましい。この場合、コンバータ１４は、ＰＦＣ（power factor control）機能を有するフライバック方式の絶縁型ＡＣ／ＤＣコンバータになる。
【００３５】
コンバータ１４の高電位側の出力端は、充電回路１５を介して第２蓄電池ブロック７（後述する）の電池７０の正極に電気的に接続されている。また、コンバータ１４の低電位側の出力端は、電池７０の負極に電気的に接続されている。充電回路１５は、例えばダイオードを有しており、このダイオードのアノードがコンバータ１４の高電位側の出力端に電気的に接続され、カソードが電池７０の正極に電気的に接続されている。したがって、コンバータ１４は、通常時において、充電回路１５を介して電池７０に電力を供給することにより、電池７０を充電する。
【００３６】
（動作）
以下、本実施形態の点滅装置１の動作について図１及び図２を用いて説明する。図２は、上段から順に、スイッチング素子Ｑ１の状態（オン／オフ）、電力変換回路１１ａの出力電圧「Ｖｏ」（コンデンサＣ１の両端電圧）、スイッチＱ２の状態（オン／オフ）、負荷電流「Ｉｏ」を示している。図２では、スイッチング素子Ｑ１の状態を表す「Ｑ１」、及びスイッチＱ２の状態を表す「Ｑ２」については、「ＯＮ」がオン状態を表し、「ＯＦＦ」がオフ状態を表している。
【００３７】
制御回路１２は、電源回路１１から光源５０に供給される負荷電力を調整することで、負荷電力の平均値（平均電力）を調整する。この場合、制御回路１２は、光源５０を間欠的に流れる負荷電流Ｉｏの周期を調整することで、平均電力を調整することが好ましい。
【００３８】
まず、通常時においては、第２制御回路１２２は、スイッチＱ２をオフ状態に維持するようにスイッチＱ２を制御する。また、通常時においては、第１制御回路１２１は、スイッチング素子Ｑ１をオフ状態に維持するようにスイッチング素子Ｑ１を制御する。このため、通常時においては、電路Ｗ１は開かれており（遮断状態）、かつ、電源回路１１が動作していないので、電池７０から光源５０へ負荷電力が供給されず、光源５０は消灯している。
【００３９】
次に、時刻ｔ０において常用電源ＡＣ１が停電し、通常時から停電時に移行したと仮定する。制御回路１２は、誘導灯信号装置からの点滅指示信号を受けて、光源５０の点滅制御を開始する。
【００４０】
具体的に、第１制御回路１２１は、誘導灯信号装置からの点滅指示信号を受けて、ドライバ１１１によるスイッチング素子Ｑ１のＰＷＭ制御を開始することで、電力変換回路１１ａの動作（電力変換処理）を開始させる。電力変換回路１１ａの動作が開始されると、コンデンサＣ１が充電されることで出力電圧Ｖｏが上昇する。このとき、スイッチＱ２はオフ状態であり、負荷電流Ｉｏがゼロになるので、ドライバ１１１は、出力電圧Ｖｏの電圧値を増加させる方向にＰＷＭ制御を行う。しかし、出力電圧Ｖｏが上限値Ｖｏ１に達すると、ドライバ１１１は、過電圧保護機能によって出力電圧Ｖｏを上限値Ｖｏ１に維持する。
【００４１】
一方、第２制御回路１２２は、時間を計測するためのタイマ機能を有している。第２制御回路１２２は、誘導灯信号装置からの点滅指示信号を受けてから一定時間が経過した時点である時刻ｔ１において、スイッチＱ２をオフ状態からオン状態に切り替える。これにより、電路Ｗ１が閉じられ（導通状態）、電源回路１１から光源５０へ負荷電流Ｉｏが流れることで、光源５０が点灯し、光源５０が点灯状態を維持するオン期間Ｐ１が開始される。オン期間Ｐ１では、ドライバ１１１は、負荷電流Ｉｏが目標電流値Ｉｏ１に一致するようにスイッチング素子Ｑ１をオン／オフ駆動する。
【００４２】
そして、第２制御回路１２２は、スイッチＱ２がオン状態になってから所定のオン時間が経過した時点において、スイッチＱ２をオン状態からオフ状態に切り替える。これにより、電路Ｗ１が開き（遮断状態）、負荷電流Ｉｏがゼロになることで、光源５０が消灯し、光源５０が消灯状態を維持するオフ期間Ｐ２が開始される。オフ期間Ｐ２では、ドライバ１１１は、過電圧保護機能によって出力電圧Ｖｏが上限値Ｖｏ１を維持するように、スイッチング素子Ｑ１をオン／オフ駆動する。
【００４３】
そして、第２制御回路１２２は、スイッチＱ２がオフ状態になってから所定のオフ時間が経過した時点において、スイッチＱ２をオフ状態からオン状態に切り替える。これにより、光源５０が点灯し、光源５０が点灯状態を維持するオン期間Ｐ１が開始される。
【００４４】
その後、第２制御回路１２２は、光源５０が点灯状態を維持するオン期間Ｐ１と、光源５０が消灯状態を維持するオフ期間Ｐ２とを交互に繰り返すように、スイッチＱ２のオン／オフを制御する。第２制御回路１２２は、オン期間Ｐ１では、スイッチＱ２がオン状態になるようにスイッチＱ２をオン制御し、オフ期間Ｐ２では、スイッチＱ２がオフ状態になるようにスイッチＱ２をオフ制御する。
【００４５】
一般に、非常時の光源５０の動作内容は、法令（法律、及び規則など）及び規格などによって決められている。例えば、日本の消防法では、誘導灯に対して、非常時に２０分間以上あるいは６０分間以上の定格時間を満たすことが求められている。また、日本の建築基準法では、非常用照明器具に対して、非常時に３０分間以上の定格時間を満たすことが求められている。更に、ＪＩＬ５５０２（一般社団法人日本照明工業会によって制定された規格）によると、点滅型の非常用照明器具に対して、４５４−５４５〔ｍｓ〕毎に、５０±５〔ｍｓ〕の期間だけ光源５０を発光させることが求められている。この場合、オン期間Ｐ１は約５０〔ｍｓ〕の時間長さであり、オフ期間Ｐ２は約４５０〔ｍｓ〕の時間長さになる。なお、オン期間Ｐ１及びオフ期間Ｐ２の各時間長さは、特定の値に限定されず、上記の各値以外であってもよい。また、図２では、オン期間Ｐ１及びオフ期間Ｐ２の各時間長さが互いに同じであるが、実際には互いに異なっていてもよい。
【００４６】
上述のように、点滅装置１には、非常時において、点滅制御を開始してから予め決められた定格時間Ｔ１（図２参照）が経過するまで、予め決められた点滅間隔で予め決められた閃光の時間幅で光源５０を点滅させることが求められている。すなわち、少なくとも点滅制御が開始されてから定格時間Ｔ１（例えば３０分）が経過するまでは、スイッチＱ２の「オン時間」及び「オフ時間」は、法令及び規格などによって求められる要件を満たす必要がある。なお、上述の「オン時間」は、オン／オフを繰り返すスイッチＱ２のスイッチ周期において、スイッチＱ２がオン状態になるオン期間の時間長さである。また、上述の「オフ時間」は、スイッチ周期においてスイッチＱ２がオフ状態になるオフ期間の時間長さである。また、定格時間Ｔ１の具体的な値は、特定の値に限定されない。
【００４７】
そして、従来の点滅装置は、法令及び規格などによって求められる要件を満たす点滅制御を、電池の残容量が所定量にまで低下して光源が消灯するまで行っていた。すなわち、従来では、点滅制御が開始されてから定格時間Ｔ１が経過する前、及び定格時間Ｔ１が経過した後の両方において、光源の点滅動作は同じであった。
【００４８】
一方、本実施形態では、図２に示すように、電源回路１１が負荷電力の供給を開始してから（点滅制御が開始されてから）定格時間Ｔ１が経過するまでの期間を第１期間Ｐ１１とする。また、第１期間Ｐ１１の終了時点である時刻ｔ２（点滅制御が開始されてから定格時間Ｔ１が経過した時点）から、電池７０の残容量が所定量にまで低下して光源５０が消灯するまでの期間（所定期間）を第２期間Ｐ１２とする。電力変換回路１１ａは、電池７０の残容量が所定量にまで低下して、入力電圧Ｖｉの電圧値が予め決められた下限値にまで低下すると、電力変換回路１１ａは電力変換処理を停止する。
【００４９】
そして、点滅装置１は、第１期間Ｐ１１における光源５０の点滅動作と、第２期間Ｐ１２における光源５０の点滅動作とを、互いに異ならせている。そして、点滅装置１は、第２期間Ｐ１２における平均電力を、第１期間Ｐ１１における平均電力より小さくする。第１期間Ｐ１１における平均電力は、第１期間Ｐ１１に電源回路１１から光源５０へ供給された電力量を第１期間Ｐ１１の時間長さ（Ｔ１）で除した値である。第２期間Ｐ１２における平均電力は、第２期間Ｐ１２に電源回路１１から光源５０へ供給された電力量を第２期間Ｐ１２の時間長さで除した値である。
【００５０】
まず、第１期間Ｐ１１では、第１制御回路１２１は、スイッチング素子Ｑ１のＰＷＭ制御を行う。また、第１期間Ｐ１１では、第２制御回路１２２は、光源５０が点灯状態を維持するオン期間Ｐ１と、光源５０が消灯状態を維持するオフ期間Ｐ２とを交互に繰り返すように、スイッチＱ２のオン／オフを制御する。オン期間Ｐ１及びオフ期間Ｐ２の各時間長さは、第１期間Ｐ１１における光源５０の点滅動作が法令及び規格などによって求められる要件を満たすように設定されている。
【００５１】
そして、第１期間Ｐ１１が終了し、第２期間Ｐ１２が始まると、第２制御回路１２２は、光源５０が点灯状態を維持するオン期間Ｐ１と、光源５０が消灯状態を維持するオフ期間Ｐ３とを交互に繰り返すように、スイッチＱ２のオン／オフを制御する。オフ期間Ｐ３の時間長さは、オフ期間Ｐ２の時間長さより大きい。また、第１制御回路１２１は、第１期間Ｐ１１に引き続いて第２期間Ｐ１２においても、ドライバ１１１にスイッチング素子Ｑ１のＰＷＭ制御を行わせることで、電力変換回路１１ａの電力変換処理を継続させる。
【００５２】
そして、電池７０の残容量が徐々に低下し、入力電圧Ｖｉの電圧値が予め決められた下限値にまで低下すると、電力変換回路１１ａは電力変換処理を停止する。電力変換回路１１ａが電力変換処理を停止した時点が、第２期間Ｐ１２の終了時点になる。
【００５３】
すなわち、第２期間Ｐ１２におけるオン期間Ｐ１の発生周期は、第１期間Ｐ１１におけるオン期間Ｐ１の発生周期よりも長くなる。この結果、第２期間Ｐ１２における平均電力は、第１期間Ｐ１１における平均電力よりも小さくなり、第２期間Ｐ１２における電池７０の放電電力の平均値は、第１期間Ｐ１１における電池７０の放電電力の平均値よりも小さくなる。
【００５４】
上述のように、第１期間Ｐ１１における光源５０の点滅動作は、法令及び規格などによって求められる要件を満たし、かつ第２期間Ｐ１２における光源５０の点滅動作は、第２期間Ｐ１２の平均電力が第１期間Ｐ１１に比べて小さくなるように実行される。したがって、点滅装置１は、求められる要件を満たすように第１期間Ｐ１１における光源５０の点滅動作を制御でき、第２期間Ｐ１２における光源５０の点滅動作を従来よりも長く継続させることができる。すなわち、点滅装置１は、電池７０を電源とした光源５０の点滅動作をより長く継続させることができる。
【００５５】
（第１変形例）
以下、第１変形例の動作について図３に基づいて説明する。第１変形例の点滅装置１は、上述の実施形態と同様に図１の構成を備える。第１変形例の制御回路１２は、負荷電流Ｉｏの波形を調整することで、平均電力を調整する。具体的に、制御回路１２は、光源５０を間欠的に流れる負荷電流Ｉｏの立ち上がりの傾きを調整することで、平均電力を調整することが好ましい。
【００５６】
第１変形例の第１制御回路１２１は、第１期間Ｐ１１では、上述の実施形態（図２参照）と同様に、スイッチング素子Ｑ１のＰＷＭ制御を行う。また、第１期間Ｐ１１では、第２制御回路１２２は、光源５０が点灯状態を維持するオン期間Ｐ１と、光源５０が消灯状態を維持するオフ期間Ｐ２とを交互に繰り返すように、スイッチＱ２のオン／オフを制御する。
【００５７】
そして、第１期間Ｐ１１が終了し、第２期間Ｐ１２が始まると、第２制御回路１２２は、第１期間Ｐ１１と同様にオン期間Ｐ１とオフ期間Ｐ２とを交互に繰り返すように、スイッチＱ２のオン／オフを制御する。一方、第１制御回路１２１は、第２期間Ｐ１２では、オン期間Ｐ１とオフ期間Ｐ２とに同期して、ＰＷＭ制御の実行／停止を行う。具体的に、第２期間Ｐ１２のオン期間Ｐ１では、第１制御回路１２１は、スイッチング素子Ｑ１をオン／オフさせることで、ＰＷＭ制御を実行する。第２期間Ｐ１２のオフ期間Ｐ２では、第１制御回路１２１は、スイッチング素子Ｑ１をオフ状態に維持するようにスイッチング素子Ｑ１を制御することで、ＰＷＭ制御を停止する。この場合、オン期間Ｐ１が終了してオフ期間Ｐ２が始まると、負荷電流Ｉｏはゼロにまで急峻に低下し、出力電圧Ｖｏの電圧値は、コンデンサＣ１の電荷が放電されることによって徐々に低下する。そして、オフ期間Ｐ２が終了してオン期間Ｐ１が始まると、ＰＷＭ制御の開始によって出力電圧Ｖｏの電圧値が徐々に上昇する。出力電圧Ｖｏの電圧値は、コンデンサＣ１に電荷が充電されることによって上昇し、所定値に徐々に近付く。この結果、オフ期間Ｐ２が終了してオン期間Ｐ１が始まると、負荷電流Ｉｏの電流値はゼロから目標電流値Ｉｏ１に徐々に近付く。
【００５８】
上述のように、第１変形例では、第１期間Ｐ１１及び第２期間Ｐ１２の両方で、オン期間Ｐ１及びオフ期間Ｐ２を交互に繰り返す。そして、第１期間Ｐ１１における出力電圧Ｖｏの電圧値は、光源５０を点灯させることができる値以上に維持されており、第１期間Ｐ１１のオン期間Ｐ１では、負荷電流Ｉｏの波形が矩形波形状になる。すなわち、第１期間Ｐ１１の負荷電流Ｉｏの電流値は、オン期間Ｐ１の開始タイミングで目標電流値Ｉｏ１まで急峻に上昇する。一方、第２期間Ｐ１２では、オン期間Ｐ１の開始タイミングで出力電圧Ｖｏの電圧値が徐々に上昇し始めるので、第２期間Ｐ１２のオン期間Ｐ１では、負荷電流Ｉｏの電流値は、ゼロから徐々に目標電流値Ｉｏ１まで上昇する。すなわち、第２期間Ｐ１２において光源５０を間欠的に流れる負荷電流Ｉｏの立ち上がりの傾きは、第１期間Ｐ１１において光源５０を間欠的に流れる負荷電流Ｉｏの立ち上がりの傾きよりも小さくなる。したがって、第２期間Ｐ１２のオン期間Ｐ１に光源５０に供給される電力量は、第１期間Ｐ１１のオン期間Ｐ１に光源５０に供給される電力量より小さくなる。
【００５９】
この結果、第２期間Ｐ１２における平均電力は、第１期間Ｐ１１における平均電力よりも小さくなり、第２期間Ｐ１２における電池７０の放電電力の平均値は、第１期間Ｐ１１における電池７０の放電電力の平均値よりも小さくなる。
【００６０】
上述のように、第１期間Ｐ１１における光源５０の点滅動作は、法令及び規格などによって求められる要件を満たしており、第２期間Ｐ１２における光源５０の点滅動作は、第２期間Ｐ１２の平均電力が第１期間Ｐ１１に比べて小さくなるように実行される。したがって、点滅装置１は、求められる要件を満たすように第１期間Ｐ１１における光源５０の点滅動作を制御でき、第２期間Ｐ１２における光源５０の点滅動作を従来よりも長く継続させることができる。すなわち、点滅装置１は、電池７０を電源とした光源５０の点滅動作をより長く継続させることができる。
【００６１】
（第２変形例）
第２変形例の点滅装置１は、上述の実施形態と同様に図１の構成を備える。第２変形例の制御回路１２は、負荷電流Ｉｏの波形を調整することで、平均電力を調整する。具体的に、制御回路１２は、光源５０を間欠的に流れる負荷電流Ｉｏの立ち上がりの傾きを調整することで、平均電力を調整することが好ましい。なお、図１の点滅装置１と同様の構成には同一の符号を付し、説明は省略する。
【００６２】
図１において、スイッチＱ２はトランジスタである。そして、第２制御回路１２２は、スイッチＱ２のターンオン時間を調整することで、負荷電流Ｉｏの立ち上がりの傾きを調整する。
【００６３】
具体的に、第２変形例の第１制御回路１２１は、第１期間Ｐ１１及び第２期間Ｐ１２の両期間において、スイッチング素子Ｑ１のＰＷＭ制御を継続して行う。
【００６４】
第２制御回路１２２は、第１期間Ｐ１１及び第２期間Ｐ１２の両期間において、光源５０が点灯状態を維持するオン期間Ｐ１と、光源５０が消灯状態を維持するオフ期間Ｐ２とを交互に繰り返すように、スイッチＱ２のオン／オフを制御する。
【００６５】
第２制御回路１２２は、オン期間Ｐ１の開始時にスイッチＱ２をターンオンさせる。そして、第２制御回路１２２は、第２期間Ｐ１２のオン期間Ｐ１の開始時におけるターンオン時間を、第１期間Ｐ１１のオン期間Ｐ１の開始時におけるターンオン時間よりも長くする。第２制御回路１２２は、スイッチＱ２のゲート−ソース間電圧の立ち上がり時の傾きを調整することで、スイッチＱ２のターンオン時間を調整できる。具体的に、第２制御回路１２２は、スイッチＱ２のゲート−ソース間電圧の立ち上がり時の傾きを小さくするほど、スイッチＱ２のターンオン時間を長くできる。また、第２制御回路１２２は、スイッチＱ２のゲート−ソース間電圧の立ち上がり時の傾きを大きくするほど、スイッチＱ２のターンオン時間を短くできる。
【００６６】
この結果、第１変形例と同様に、第１期間Ｐ１１のオン期間Ｐ１では、負荷電流Ｉｏの波形が矩形波形状になる。一方、第２期間Ｐ１２のオン期間Ｐ１では、負荷電流Ｉｏの電流値は、ゼロから目標電流値Ｉｏ１まで徐々に上昇する。すなわち、第２期間Ｐ１２において光源５０を間欠的に流れる負荷電流Ｉｏの立ち上がりの傾きは、第１期間Ｐ１１において光源５０を間欠的に流れる負荷電流Ｉｏの立ち上がりの傾きよりも小さくなる。したがって、第２期間Ｐ１２のオン期間Ｐ１における平均電力は、第１期間Ｐ１１のオン期間Ｐ１における平均電力より小さくなる。
【００６７】
この結果、点滅装置１は、求められる要件を満たすように第１期間Ｐ１１における光源５０の点滅動作を制御でき、第２期間Ｐ１２における光源５０の点滅動作を従来よりも長く継続させることができる。すなわち、点滅装置１は、電池７０を電源とした光源５０の点滅動作をより長く継続させることができる。
【００６８】
（第３変形例）
図４は、第３変形例の点滅装置１Ａの構成を示す。点滅装置１Ａの電源回路１１は、インダクタ素子Ｌ２と、スイッチＱ１１とを更に備える。また、点滅装置１Ａの制御回路１２は、スイッチＱ１１のオン／オフを制御する第３制御回路１２４を更に備える。そして、制御回路１２は、負荷電流Ｉｏの波形を調整することで、平均電力を調整する。具体的に、制御回路１２は、光源５０を間欠的に流れる負荷電流Ｉｏの立ち上がりの傾きを調整することで、平均電力を調整することが好ましい。また、インダクタ素子Ｌ２の両端間には、回生用のダイオードを更に設けることが好ましい。なお、図１の点滅装置１と同様の構成には同一の符号を付し、説明は省略する。
【００６９】
インダクタ素子Ｌ２は、光源５０に電気的に直列接続されており、例えば、インダクタ素子Ｌ２の第１端はコンデンサＣ１の正極に電気的に接続され、インダクタ素子Ｌ２の第２端は光源５０のアノードに電気的に接続される。また、インダクタ素子Ｌ２にはスイッチＱ１１が並列接続されており、スイッチＱ１１は、インダクタ素子Ｌ２の両端間の電気的な接続状態を、短絡状態又は遮断状態に切り替えることができる。スイッチＱ１１は、例えばエンハンスメント形のＮチャネルＭＯＳＦＥＴからなる。スイッチＱ１１のドレインは、インダクタ素子Ｌ２の第１端に電気的に接続されている。スイッチＱ１１のソースは、インダクタ素子Ｌ２の第２端に電気的に接続されている。
【００７０】
制御回路１２に備えられたコンピュータがプログラムを実行することによって、本開示における第３制御回路１２４の機能が実現される。第３制御回路１２４は、スイッチＱ１１のゲート−ソース間電圧を制御することで、スイッチＱ１１をオン／オフさせる。第３制御回路１２４は、上述の第１期間Ｐ１１ではスイッチＱ１１をオン状態に維持し（短絡状態）、上述の第２期間Ｐ１２ではスイッチＱ１１をオフ状態に維持する（遮断状態）。
【００７１】
具体的に、第３変形例の第１制御回路１２１は、第１期間Ｐ１１及び第２期間Ｐ１２の両期間において、スイッチング素子Ｑ１のＰＷＭ制御を継続して行う。
【００７２】
第２制御回路１２２は、第１期間Ｐ１１及び第２期間Ｐ１２の両期間において、光源５０が点灯状態を維持するオン期間Ｐ１と、光源５０が消灯状態を維持するオフ期間Ｐ２とを交互に繰り返すように、スイッチＱ２のオン／オフを制御する。
【００７３】
第３制御回路１２４は、第１期間Ｐ１１ではスイッチＱ１１をオン状態に維持し、第２期間Ｐ１２ではスイッチＱ１１をオフ状態に維持する。
【００７４】
この場合、第１期間Ｐ１１では、オン期間Ｐ１の開始時に負荷電流Ｉｏの電流値がゼロから立ち上がる過渡期間において、負荷電流Ｉｏはインダクタ素子Ｌ２に殆ど流れず、負荷電流Ｉｏは主にスイッチＱ１１を流れる。したがって、上述の実施形態、第１変形例、及び第２変形例と同様に、第１期間Ｐ１１のオン期間Ｐ１では、負荷電流Ｉｏの波形が矩形波形状になる。
【００７５】
一方、第２期間Ｐ１２では、負荷電流Ｉｏはインダクタ素子Ｌ２を流れる。したがって、負荷電流Ｉｏの電流値がゼロから立ち上がる過渡期間において、負荷電流Ｉｏの電流値は、インダクタ素子Ｌ２のインダクタンスによって、ゼロから目標電流値Ｉｏ１まで徐々に上昇する。すなわち、第２期間Ｐ１２において光源５０を間欠的に流れる負荷電流Ｉｏの立ち上がりの傾きは、第１期間Ｐ１１において光源５０を間欠的に流れる負荷電流Ｉｏの立ち上がりの傾きよりも小さくなる。したがって、第２期間Ｐ１２のオン期間Ｐ１における平均電力は、第１期間Ｐ１１のオン期間Ｐ１における平均電力より小さくなる。
【００７６】
この結果、点滅装置１は、求められる要件を満たすように第１期間Ｐ１１における光源５０の点滅動作を制御でき、第２期間Ｐ１２における光源５０の点滅動作を従来よりも長く継続させることができる。すなわち、点滅装置１は、電池７０を電源とした光源５０の点滅動作をより長く継続させることができる。
【００７７】
（第４変形例）
図５は、第４変形例の点滅装置１Ｂの構成を示す。点滅装置１Ｂの電源回路１１は、抵抗器Ｒ２と、スイッチＱ１２とを更に備える。また、点滅装置１Ｂの制御回路１２は、スイッチＱ１２のオン／オフを制御する第４制御回路１２５を更に備える。そして、制御回路１２は、負荷電流Ｉｏの波形を調整することで、平均電力を調整する。具体的に、制御回路１２は、電源回路１１から間欠的に出力される負荷電流Ｉｏの瞬時値を調整することで、平均電力を調整することが好ましい。なお、図１の点滅装置１と同様の構成には同一の符号を付し、説明は省略する。
【００７８】
抵抗器Ｒ２は、抵抗器Ｒ１に電気的に直列接続されており、抵抗器Ｒ１の両端のうち低電位側の端部に抵抗器Ｒ２の第１端は電気的に接続され、抵抗器Ｒ２の第２端はコンデンサＣ１の負極に電気的に接続される。すなわち、コンデンサＣ１の両端間には、光源５０、スイッチＱ２、及び抵抗器Ｒ１、Ｒ２の直列回路が電気的に接続されている。
【００７９】
スイッチＱ１２は、例えばエンハンスメント形のＮチャネルＭＯＳＦＥＴからなる。スイッチＱ１２のドレインは、抵抗器Ｒ２の第１端に電気的に接続されている。スイッチＱ１２のソースは、抵抗器Ｒ２の第２端に電気的に接続されている。
【００８０】
制御回路１２に備えられたコンピュータがプログラムを実行することによって、本開示における第４制御回路１２５の機能が実現される。第４制御回路１２５は、スイッチＱ１２のゲート−ソース間電圧を制御することで、スイッチＱ１２をオン／オフさせる。第４制御回路１２５は、上述の第１期間Ｐ１１ではスイッチＱ１２をオン状態に維持し、上述の第２期間Ｐ１２ではスイッチＱ１２をオフ状態に維持する。
【００８１】
図６は、第４変形例の点滅装置１Ｂの動作を示す。
【００８２】
第１制御回路１２１は、第１期間Ｐ１１及び第２期間Ｐ１２の両期間において、スイッチング素子Ｑ１のＰＷＭ制御を継続して行う。
【００８３】
第２制御回路１２２は、第１期間Ｐ１１及び第２期間Ｐ１２の両期間において、光源５０が点灯状態を維持するオン期間Ｐ１と、光源５０が消灯状態を維持するオフ期間Ｐ２とを交互に繰り返すように、スイッチＱ２のオン／オフを制御する。
【００８４】
第４制御回路１２５は、第１期間Ｐ１１ではスイッチＱ１２をオン状態に維持し、第２期間Ｐ１２ではスイッチＱ１２をオフ状態に維持する。
【００８５】
ドライバ１１１は、スイッチＱ２のソースとコンデンサＣ１の負極との間の電圧を監視電圧Ｖｓ２として検出し、監視電圧Ｖｓ２の電圧値を所定の目標値に一致させるように、スイッチング素子Ｑ１をＰＷＭ制御する。そして、スイッチＱ１２のオン抵抗値は、抵抗器Ｒ１の抵抗値に比べてはるかに小さいので、第１期間Ｐ１１における監視電圧Ｖｓ２は、抵抗器Ｒ１の両端電圧に等しいとみなせる。一方、第２期間Ｐ１２における監視電圧Ｖｓ２は、抵抗器Ｒ１，Ｒ２の直列回路の両端電圧になる。
【００８６】
ここで、ドライバ１１１は、監視電圧Ｖｓ２を所定の目標値に一致させるようにスイッチング素子Ｑ１をＰＷＭ制御することで、負荷電流Ｉｏを定電流制御する。そして、上述のようにスイッチＱ１２のオン／オフが切り換えられることによって、第２期間Ｐ１２における負荷電流Ｉｏの瞬時値（目標電流値Ｉｏ２）は、第１期間Ｐ１１における負荷電流Ｉｏの瞬時値（目標電流値Ｉｏ１）より小さくなる。したがって、第２期間Ｐ１２のオン期間Ｐ１における平均電力は、第１期間Ｐ１１のオン期間Ｐ１における平均電力より小さくなる。
【００８７】
この結果、点滅装置１は、求められる要件を満たすように第１期間Ｐ１１における光源５０の点滅動作を制御でき、第２期間Ｐ１２における光源５０の点滅動作を従来よりも長く継続させることができる。すなわち、点滅装置１は、電池７０を電源とした光源５０の点滅動作をより長く継続させることができる。
【００８８】
（非常用装置の構成）
以下、本実施形態の点滅装置１、１Ａ、又は１Ｂを備えた非常用装置３について図７及び図８を用いて詳細に説明する。以下の説明では、特に断りの無い限り、図７に示す矢印の向きにより、非常用装置３の上下、左右、及び前後の各方向を規定する。なお、図７に示す矢印は、説明のために表記しているに過ぎず、実体を伴わない。また、上記の方向の規定は、非常用装置３の使用態様を限定する趣旨ではない。
【００８９】
非常用装置３は、建物の非常口を表示するための誘導灯器具として実現されており、光源５０（点滅光源）を点滅させる機能と、誘導用の音声を出力する機能と、を有している。非常用装置３は、誘導灯信号装置から点滅指示信号を受けた場合、誘導効果を高めるために光源５０を点滅させる。また、非常用装置３は、誘導灯信号装置から指示信号を受けた場合、誘導効果を高めるために、音響装置８から誘導音（例えば、「非常口はこちらです。」というような音声メッセージ）を出力させる。
【００９０】
非常用装置３は、図７及び図８に示すように、筐体３０と、表示ユニット４と、光源５０を含む点滅光源ユニット５と、点滅装置１、１Ａ、又は１Ｂを含む駆動装置６と、電池７０を含む第２蓄電池ブロック７と、を備えている。すなわち、非常用装置３は、点滅装置１、１Ａ、又は１Ｂと、光源５０と、電池７０と、筐体３０と、を備える。
【００９１】
筐体３０は、それぞれ長方形状の前壁３１、後壁３２及び４つの側壁３３を有する直方体状に形成されている。本実施形態では、筐体３０は、本体３００と、プレート３０１と、で構成されている。本体３００は、前面が開放された箱形に形成されており、筐体３０の後壁３２と４つの側壁３３を構成している。上側の側壁３３には一対の穴３０３が貫通している（図８参照）。
【００９２】
プレート３０１は、四角形状に形成された主部３０１０と、主部３０１０の４つの辺から後方へ立ち上がる４つの側部３０１１とを有している。プレート３０１の主部３０１０は、筐体３０の前壁３１を構成している。プレート３０１の４つの側部３０１１は、それぞれ筐体３０の４つの側壁３３の前端部分を構成している。プレート３０１は、一対の取付ばね３０２によって着脱可能に本体３００に取り付けられる。筐体３０は、本体３００の前面にプレート３０１が取り付けられることによって構成される。なお、筐体３０（本体３００及びプレート３０１）は、鋼板などの不燃物で形成されている。
【００９３】
筐体３０の内底面（後壁３２の前面）には、取付台３５がねじ止めされている。取付台３５は、合成樹脂材料によって前面と下面が開放された箱形に形成されている。表示ユニット４及び駆動装置６は、取付台３５に取り付けられた状態で筐体３０内に収容されている。
【００９４】
表示ユニット４は、表示板４０と、光源ブロック４１と、点灯ブロック４２と、第１蓄電池ブロック４３と、を有している。
【００９５】
表示板４０は、アクリル樹脂又はポリカーボネート樹脂などの透光性を有する合成樹脂材料によって四角形状に形成されている。本実施形態では、表示板４０は、前後方向の厚さを上端から下端に向かって徐々に小さくするように形成されている。表示板４０の前面には、非常口（避難口）を示すピクトグラムが描かれている。
【００９６】
光源ブロック４１は、１つ以上の発光ダイオード（ＬＥＤ）と、ＬＥＤから放射される光を導光する導光部材と、ＬＥＤ及び導光部材を収容するケース４１０と、を有している。ケース４１０の下面には、導光部材から出射する光をケース４１０の外に放射するための開口が設けられている。光源ブロック４１は、図８に示すように、取付台３５の上部に取り付けられている。また、表示板４０は、上側面を光源ブロック４１のケース４１０の開口に対向させるようにして、取付台３５に取り付けられている。
【００９７】
点灯ブロック４２は、常用点灯回路と、充電回路と、非常用点灯回路と、制御回路とを有している。常用点灯回路は、外部電源（常用電源ＡＣ１（図１参照））から供給される電力で、光源ブロック４１のＬＥＤを点灯させる。充電回路は、外部電源から供給される電力で、第１蓄電池ブロック４３の電池セル（後述する）を充電する。非常用点灯回路は、外部電源からの電力供給が停止した場合、第１蓄電池ブロック４３から放電される電力でＬＥＤを点灯させる。制御回路は、外部電源の給電状況を監視し、外部電源から電力供給されているときは常用点灯回路と充電回路を動作させ、かつ非常用点灯回路を停止させる。また、制御回路は、外部電源の電力供給が停止（停電）したときは常用点灯回路と充電回路を停止させ、かつ非常用点灯回路を動作させる。
【００９８】
第１蓄電池ブロック４３は、電気絶縁性を有する合成樹脂製の電池ケースに複数の電池セルを収容して構成されている。各電池セルは、ニッケル水素電池のような二次電池である。第１蓄電池ブロック４３は、取付台３５の右端に収容されている（図８参照）。
【００９９】
表示ユニット４は、筐体３０の前壁３１（プレート３０１の主部３０１０）に設けられた四角形状の窓３１０から表示板４０の前面を露出させるようにして、筐体３０内に収容される。表示ユニット４は、光源ブロック４１から表示板４０の上面に光を入射させ、表示板４０全体を発光させることにより、表示板４０の前面の輝度を高めてピクトグラムの視認性を高めている。
【０１００】
点滅光源ユニット５は、ＬＥＤからなる光源５０と、光源５０から放射される光の配光を制御するレンズ５１と、光源５０及びレンズ５１が取り付けられる取付部材５２と、を有している。点滅光源ユニット５は、筐体３０の内底面（後壁３２の前面）における下端部分に取付部材５２が固定されることによって、筐体３０内に収容されている（図８参照）。レンズ５１は、筐体３０の下側の側壁３３における長手方向（左右方向）の中央に設けられた挿通穴３４を通して、筐体３０の外に突出している。
【０１０１】
駆動装置６は、点滅光源ユニット５の光源５０を駆動する電源回路１１（図１参照）と、スピーカ８１（後述する）を駆動する駆動回路と、を有している。駆動装置６は、更に、電源回路１１及び駆動回路に電力を供給するための第２蓄電池ブロック７を充電するコンバータ１４（図１参照）と、電源回路１１及びコンバータ１４を制御する制御回路１２（図１参照）と、を有している。駆動装置６は、更に、整流回路１３（図１参照）と、充電回路１５（図１参照）と、ダイオードＤ３，Ｄ４（図１参照）と、を有している。
【０１０２】
第２蓄電池ブロック７は、電池７０（図１参照）を有している。電池７０は、複数本の乾電池型の電池セルが熱収縮チューブに包まれて構成されている。各電池セルは、ニッケル水素電池のような二次電池である。第２蓄電池ブロック７は、筐体３０内において取付台３５の左隣に収容されている（図８参照）。
【０１０３】
筐体３０内における第２蓄電池ブロック７の上方には、音響装置８の一部であるスピーカ８１が収容されている。筐体３０の前壁３１（プレート３０１の主部３０１０）における窓３１０の左側には、スピーカ８１用の窓３１１が開口している。この窓３１１は、カバー３１２で塞がれている。カバー３１２は、カバー３１２の厚さ方向に貫通する多数の穴を有している。つまり、スピーカ８１から出力される音は、これら多数の穴を通して筐体３０の外に放出される。
【０１０４】
非常用装置３は、壁や天井Ａ１などの造営材に取り付けられる（図７参照）。例えば、非常用装置３を天井Ａ１に取り付ける場合、天井Ａ１に上端部分が埋め込まれている一対の吊りボルトＡ１０の各々を、非常用装置３の筐体３０の上方の側壁３３に設けられている一対の穴３０３のそれぞれに挿入する。そして、一対の吊りボルトＡ１０の各々にナットを締め付けることで、一対の吊りボルトＡ１０に筐体３０が固定される。このようにして、非常用装置３は、天井Ａ１に設置される。
【０１０５】
（他の変形例）
上述の実施形態及び第１−第４変形例のそれぞれは、本開示の様々な実施形態及び変形例の一つに過ぎない。上述の実施形態及び第１−第４変形例のそれぞれは、本開示の目的を達成できれば、設計等に応じてさらなる種々の変更が可能である。以下、他の変形例を列挙する。以下に説明する他の変形例は、上述の実施形態及び第１−第４変形例のそれぞれと適宜組み合わせて適用可能である。
【０１０６】
上述の実施形態及び第１−第４変形例のそれぞれでは、電源回路１１は定電流回路であるが、これに限定する趣旨ではない。例えば、光源５０の点滅中において、光源５０の光強度が所定の範囲内で変化することが許容されている場合、電源回路１１は、一定の範囲内で変化する電流を光源５０に供給する回路であってもよい。
【０１０７】
上述の実施形態及び第１−第４変形例のそれぞれでは、第１制御回路１２１及び第２制御回路１２２は、誘導灯信号装置からの点滅指示信号をトリガとして、それぞれスイッチング素子Ｑ１及びスイッチＱ２の各制御を開始している。つまり、所定の条件は、誘導灯信号装置から点滅指示信号を受信することであるが、これに限定する趣旨ではない。例えば、第１制御回路１２１及び第２制御回路１２２は、常用電源ＡＣ１の停電を自動的に検知することで得られる情報など、点滅指示信号以外の情報を取得することを所定の条件として、それぞれスイッチング素子Ｑ１及びスイッチＱ２の制御を開始してもよい。
【０１０８】
上述の実施形態及び第１−第４変形例のそれぞれにおいて、制御回路１２に含まれる第１制御回路１２１、第２制御回路１２２、制御電源回路１２３、第３制御回路１２４、第４制御回路１２５は、１つのチップに集約されていてもよいし、複数のチップに分散して設けられていてもよい。
【０１０９】
上述の実施形態及び第１−第４変形例のそれぞれでは、非常用装置３は、表示ユニット４及び音響装置８の両方を備えているが、これに限定する趣旨ではない。例えば、非常用装置３は、表示ユニット４及び音響装置８のうち少なくとも一方を備えていなくてもよい。更に言えば、非常用装置３は、点滅光源ユニット５のみを備え、表示ユニット４及び音響装置８をいずれも備えていなくてもよい。
【０１１０】
（まとめ）
以上述べたように、第１の態様に係る点滅装置（１、１Ａ、１Ｂ）は、電源回路（１１）と、制御回路（１２）と、を備える。電源回路（１１）は、電池（７０）から供給された放電電力を負荷電力に変換し、負荷電力を光源（５０）に供給する。制御回路（１２）は、負荷電力を調整する。電源回路（１１）が負荷電力の供給を開始してから所定時間（Ｔ１）が経過するまでの期間が第１期間（Ｐ１１）であり、第１期間（Ｐ１１）以降の所定期間が第２期間（Ｐ１２）である。電源回路（１１）は、光源（５０）に負荷電流（Ｉｏ）を間欠的に出力する間欠動作を行うように構成される。そして、制御回路（１２）は、第２期間（Ｐ１２）における負荷電力の平均値（平均電力）を、第１期間（Ｐ１１）における負荷電力の平均値より小さくする。
【０１１１】
上述の点滅装置（１，１Ａ，１Ｂ）は、電池（７０）を電源とした光源（５０）の点滅動作をより長く継続させることができる。
【０１１２】
第２の態様に係る点滅装置（１）では、第１の態様において、制御回路（１２）は、間欠動作の周期を調整することで、負荷電力の平均値を調整することが好ましい。
【０１１３】
上述の点滅装置（１）は、間欠的に出力される負荷電流（Ｉｏ）の周期を調整することで、電池（７０）を電源とした光源（５０）の点滅動作をより長く継続させることができる。
【０１１４】
第３の態様に係る点滅装置（１、１Ａ）では、第１の態様において、制御回路（１２）は、負荷電流（Ｉｏ）の波形を調整することで、負荷電力の平均値を調整することが好ましい。
【０１１５】
上述の点滅装置（１，１Ａ）は、負荷電流（Ｉｏ）の波形を調整することで、電池（７０）を電源とした光源（５０）の点滅動作をより長く継続させることができる。
【０１１６】
第４の態様に係る点滅装置（１、１Ａ）では、第３の態様において、制御回路（１２）は、光源（５０）を間欠的に流れる負荷電流（Ｉｏ）の立ち上がりの傾きを調整することで、負荷電力の平均値を調整することが好ましい。
【０１１７】
上述の点滅装置（１，１Ａ）は、負荷電流（Ｉｏ）の立ち上がりの傾きを調整することで、電池（７０）を電源とした光源（５０）の点滅動作をより長く継続させることができる。
【０１１８】
第５の態様に係る点滅装置（１）では、第４の態様において、電源回路（１１）は、電力変換回路（１１ａ）と、スイッチ（Ｑ２）と、を有する。電力変換回路（１１ａ）は、放電電力を負荷電力に変換する電力変換処理を実行する。スイッチ（Ｑ２）は、電力変換回路（１１ａ）と光源（５０）との間の電路（Ｗ１）の導通状態及び遮断状態を周期的に切り換える。制御回路（１２）は、第１期間（Ｐ１１）において、電力変換回路（１１ａ）の電力変換処理を継続して実行させる。また、制御回路（１２）は、第２期間（Ｐ１２）において、電力変換回路（１１ａ）の電力変換処理を間欠的に実行させ、かつ電力変換処理の開始タイミングとスイッチ（Ｑ２）が電路（Ｗ１）を遮断状態から導通状態に切り換えるタイミングとを同期させることが好ましい。
【０１１９】
上述の点滅装置（１）は、第２期間（Ｐ１２）における負荷電流（Ｉｏ）の立ち上がりの傾きを、第１期間（Ｐ１１）における負荷電流（Ｉｏ）の立ち上がりの傾きよりも小さくできる。すなわち、点滅装置（１）は、負荷電流（Ｉｏ）の立ち上がりの傾きを調整することができる。
【０１２０】
第６の態様に係る点滅装置（１Ａ）では、第４の態様において、電源回路（１１）は、電力変換回路（１１ａ）と、インダクタ素子（Ｌ２）と、スイッチ（Ｑ１１）と、を有する。電力変換回路（１１ａ）は、放電電力を負荷電力に変換する電力変換処理を実行する。インダクタ素子（Ｌ２）は、電力変換回路（１１ａ）と光源（５０）との間の電路（Ｗ１）に設けられる。スイッチ（Ｑ１１）は、インダクタ素子（Ｌ２）に並列接続される。そして、制御回路（１２）は、第１期間（Ｐ１１）においてスイッチ（Ｑ１１）をオンし、第２期間（Ｐ１２）においてスイッチ（Ｑ１１）をオフすることが好ましい。
【０１２１】
上述の点滅装置（１Ａ）は、第２期間（Ｐ１２）における負荷電流（Ｉｏ）の立ち上がりの傾きを、第１期間（Ｐ１１）における負荷電流（Ｉｏ）の立ち上がりの傾きよりも小さくできる。すなわち、点滅装置（１）は、負荷電流（Ｉｏ）の立ち上がりの傾きを調整することができる。
【０１２２】
第７の態様に係る点滅装置（１）では、第４の態様において、電源回路（１１）は、電力変換回路（１１ａ）と、トランジスタ（Ｑ２）とを有する。電力変換回路（１１ａ）は、放電電力を負荷電力に変換する電力変換処理を実行する。トランジスタ（Ｑ２）は、電力変換回路（１１ａ）と光源（５０）との間の電路（Ｗ１）の導通状態及び遮断状態を周期的に切り換える。トランジスタ（Ｑ２）が遮断状態から導通状態に至るまでに要する時間をターンオン時間とする。そして、制御回路（１２）は、第２期間（Ｐ１２）におけるターンオン時間が第１期間（Ｐ１１）におけるターンオン時間より長くなるように、トランジスタ（Ｑ２）を制御することが好ましい。
【０１２３】
上述の点滅装置（１）は、第２期間（Ｐ１２）における負荷電流（Ｉｏ）の立ち上がりの傾きを、第１期間（Ｐ１１）における負荷電流（Ｉｏ）の立ち上がりの傾きよりも小さくできる。すなわち、点滅装置（１）は、負荷電流（Ｉｏ）の立ち上がりの傾きを調整することができる。
【０１２４】
第８の態様に係る点滅装置（１Ｂ）では、第３の態様において、制御回路（１２）は、電源回路（１１）から間欠的に出力される負荷電流（Ｉｏ）の瞬時値を調整することで、負荷電力の平均値を調整することが好ましい。
【０１２５】
上述の点滅装置（１Ｂ）は、負荷電流（Ｉｏ）の波形を調整することができる。
【０１２６】
第９の態様に係る点滅装置（１Ｂ）では、第８の態様において、電源回路（１１）は、電力変換回路（１１ａ）と、複数の抵抗器（Ｒ１，Ｒ２）の直列回路と、スイッチ（Ｑ１２）と、を有する。電力変換回路（１１ａ）は、放電電力を負荷電力に変換する電力変換処理を実行する。複数の抵抗器（Ｒ１，Ｒ２）の直列回路は、負荷電流（Ｉｏ）が流れる。スイッチ（Ｑ１２）は、複数の抵抗器（Ｒ１，Ｒ２）のうち少なくとも１つの抵抗器（Ｒ２）に並列接続される。電力変換回路（１１ａ）は、複数の抵抗器（Ｒ１，Ｒ２）の直列回路の両端間の電圧（Ｖｓ２）が目標値に一致するように負荷電力を調整する。制御回路（１２）は、第１期間（Ｐ１１）においてスイッチ（Ｑ１２）をオンし、第２期間（Ｐ１２）においてスイッチ（Ｑ１２）をオフすることが好ましい。
【０１２７】
上述の点滅装置（１Ｂ）は、第２期間（Ｐ１２）における負荷電流（Ｉｏ）の電流値を、第１期間（Ｐ１１）における負荷電流（Ｉｏ）の電流値よりも小さくできる。すなわち、点滅装置（１Ｂ）は、負荷電流（Ｉｏ）の大きさを調整することができる。
【０１２８】
第１０の態様に係る非常用装置（３）は、第１乃至第９の態様のいずれか一つの点滅装置（１、１Ａ、１Ｂ）と、電池（７０）と、光源（５０）と、筐体（３０）と、を備える。筐体（３０）は、点滅装置（１、１Ａ、１Ｂ）、電池（７０）、及び光源（５０）のうち少なくとも点滅装置（１、１Ａ、１Ｂ）を収容する。
【０１２９】
上述の非常用装置（３）は、電池（７０）を電源とした光源（５０）の点滅動作をより長く継続させることができる。
【０１３０】
第１１の態様に係るプログラムは、電池（７０）から供給された放電電力を負荷電力に変換し、負荷電力を光源（５０）に供給する電源回路（１１）に組み合わされるコンピュータが実行する。電源回路（１１）が負荷電力の供給を開始してから所定時間（Ｔ１）が経過するまでの期間が第１期間（Ｐ１１）であり、第１期間（Ｐ１１）以降の所定期間が第２期間（Ｐ１２）である。電源回路（１１）は、光源（５０）に負荷電流（Ｉｏ）を間欠的に出力する間欠動作を行うように構成される。前記プログラムは、コンピュータに、第２期間（Ｐ１２）における負荷電力の平均値を、第１期間（Ｐ１１）における負荷電力の平均値より小さくする電力調整機能を実現させる。
【０１３１】
上述のプログラムは、電池（７０）を電源とした光源（５０）の点滅動作をより長く継続させることができる。
【０１３２】
なお、上述の実施形態及び各変形例は本開示の一例である。このため、本開示は、上述の実施形態及び各変形例に限定されることはなく、これらの実施形態及び各変形例以外であっても、本開示に係る技術的思想を逸脱しない範囲であれば、設計等に応じて種々の変更が可能であることは勿論である。
【符号の説明】
【０１３３】
１、１Ａ、１Ｂ  点滅装置
３  非常用装置
１１  電源回路
１１ａ  電力変換回路
１２  制御回路
３０  筐体
５０  光源
７０  電池
Ｑ２  スイッチ（トランジスタ）
Ｑ１１  スイッチ
Ｑ１２  スイッチ
Ｌ２  インダクタ素子
Ｒ１，Ｒ２  抵抗器
Ｗ１  電路
Ｖｓ２  電圧
Ｉｏ  負荷電流
Ｐ１１  第１期間
Ｐ１２  第２期間
Ｔ１  定格時間（所定時間）
【図１】
2020004622.tif 000003
【図２】
2020004622.tif 000004
【図３】
2020004622.tif 000005
【図４】
2020004622.tif 000006
【図５】
2020004622.tif 000007
【図６】
2020004622.tif 000008
【図７】
2020004622.tif 000009
【図８】
2020004622.tif 000010